(57)【特許請求の範囲】
【請求項１】
遊技盤ユニットにおける盤面の表裏に挿通可能な固定具の一端が遊技機本体に保持され、前記固定具の他端に設けられた頭部を前記遊技盤ユニットの前面に係止状態とすることで前記遊技機本体に取り付けられた前記遊技盤ユニットを固定し、前記遊技盤ユニットの前面に露呈した前記固定具の頭部の係止を解除状態とすることによって前記遊技盤ユニットが前記遊技機本体から取り外される遊技機において、
前記固定具の頭部を覆う閉じ位置と前記固定具の頭部を露呈させる開き位置との間で開閉自在に前記遊技盤ユニットに取り付けられたカバーと、
前記カバーと前記遊技盤ユニットとのうちどちらか一方に設けられ、一方に収められた収納位置から一方より突き出た突出位置にスライド移動自在なラッチ部材と、
前記一方と異なる他方に設けられ、前記カバーが閉じ位置にセットされているときに前記突出位置にスライド移動させた前記ラッチ部材の突き出た部分を受け入れる受入部と、
前記突出位置に移動させた後に前記ラッチ部材を前記収納位置に戻すスライド移動をすることを禁止する禁止部とを設け、
前記禁止部は、前記突出位置にスライド移動したときに前記受入部に入り込む前記ラッチ部材に設けられた弾性を有する爪部と、前記受入部に設けられ、前記爪部を受ける爪受けとからなり、前記ラッチ部材を前記収納位置から前記突出位置に向けてスライド移動させた後に前記爪部が前記爪受けと当接し移動を規制するものであり、
前記ラッチ部材には、前記ラッチ部材から前記爪部を分離する破壊部が形成され、前記爪部が前記受入部に受け入れられたとき、前記破壊部は前記カバーと前記受入部との間から外部に露呈することを特徴とする遊技機。
【請求項２】
前記爪部は、前記破壊部を介在させて数珠繋ぎ状に複数設けられていることを特徴とする請求項１記載の遊技機。
【請求項３】
前記複数の爪部はそれぞれ異なる色に着色され、
前記受入部に前記爪部を視認するための窓を設けたことを特徴とする請求項２記載の遊技機。
【請求項４】
前記カバーに証紙を貼付する貼付部を設けたことを特徴とする請求項１ないし３いずれか１つ記載の遊技機。
【発明の詳細な説明】
【技術分野】
【０００１】
本発明はパチンコ店等の遊技場に設置して使用されるパチンコ機等の遊技機に関するものである。
【背景技術】
【０００２】
遊技場に設置される遊技機としてパチンコ機が挙げられる。近年のパチンコ機は、メンテナンス作業を行いやすいように構造が工夫されており、例えば、遊技機本体に遊技盤ユニットが着脱自在に取り付けられている。遊技盤ユニットは、センター役物や各種入賞口が設けられた遊技盤、パチンコ機を制御する制御回路装置を収めた収納箱、表示画面のコントローラを納めた収納箱などからなり、これらが一体に組み合わせられている。
【０００３】
遊技盤ユニットが遊技機本体に着脱自在に取り付けられているパチンコ機は、遊技機本体に遊技盤を保持するための保持枠を備え、この保持枠に遊技盤ユニットを固定するための固定具が設けられる。例えば、固定具は一端が保持枠に保持され、他端に設けられた頭部が保持枠から突出しており、遊技盤ユニットにはこの固定具の頭部を後側から前側に挿通させる挿通口が設けられている。挿通口を介して遊技盤ユニットの前面に露呈した固定具の頭部が遊技盤ユニットの前面に係止されることにより、遊技盤ユニットが保持枠に固定される。また、固定具の頭部と遊技盤ユニットの前面との係止を解除する係止解除操作を行うことにより、遊技盤ユニットを取り外すことができる。特許文献１には遊技盤ユニットの前面に露呈した固定具を覆うカバーを設けて固定具を保護したパチンコ機が示されている。
【特許文献１】特開２００３―２２０２４８号公報
【発明の開示】
【発明が解決しようとする課題】
【０００４】
しかしながら、遊技盤ユニットを遊技機本体に固定する固定具はカバーを開放することで誰にでも操作できるようになっているため、固定具を不正に操作して遊技盤ユニットが不正に取り外されてしまう危険性があった。遊技盤ユニットが取り外されると制御回路基板やハーネス等の不正な交換が可能となってしまう。このため、制御回路基板やハーネス等を不正なものと交換して遊技者が利益を得やすくなるいわゆるゴト行為が行われる危険性があった。
【０００５】
本発明は上記の事情に鑑みてなされたものであり、その目的は、遊技盤ユニットを遊技機本体から取り外しにくい遊技機を提供することにある。
【課題を解決するための手段】
【０００６】
上記の目的を達成するために、本発明の遊技機では、遊技盤ユニットにおける盤面の表裏に挿通可能な固定具の一端が遊技機本体に保持され、固定具の他端に設けられた頭部を遊技盤ユニットの前面に係止状態とすることで遊技機本体に取り付けられた遊技盤ユニットを固定し、遊技盤ユニットの前面に露呈した固定具の頭部の係止を解除状態とすることによって遊技盤ユニットが遊技機本体から取り外される遊技機において、固定具の頭部を覆う閉じ位置と固定具の頭部を露呈させる開き位置との間で開閉自在に遊技盤ユニットに取り付けられたカバーと、カバーと遊技盤ユニットとのうちどちらか一方に設けられ、一方に収められた収納位置から一方より突き出た突出位置にスライド移動自在なラッチ部材と、一方と異なる他方に設けられ、カバーが閉じ位置にセットされているときに突出位置にスライド移動させたラッチ部材の突き出た部分を受け入れる受入部と、突出位置に移動させた後にラッチ部材を収納位置に戻すスライド移動をすることを禁止する禁止部とを設け、前記禁止部は、前記突出位置にスライド移動したときに前記受入部に入り込む前記ラッチ部材に設けられた弾性を有する爪部と、前記受入部に設けられ、前記爪部を受ける爪受けとからなり、前記ラッチ部材を前記収納位置から前記突出位置に向けてスライド移動させた後に前記爪部が前記爪受けと当接し移動を規制するものであり、前記ラッチ部材には、前記ラッチ部材から前記爪部を分離する破壊部が形成され、前記爪部が前記受入部に受け入れられたとき、前記破壊部は前記カバーと前記受入部との間から外部に露呈することを特徴とする。
【０００９】
また、爪部は、破壊部を介在させて数珠繋ぎ状に複数設けられていることを特徴とする。
【００１０】
また、複数の爪部はそれぞれ異なる色に着色され、受入部に爪部を視認するための窓を設けたことを特徴とする。
【００１１】
また、カバーに証紙を貼付する貼付部を設けたことを特徴とする。
【発明の効果】
【００１２】
本発明の遊技機によれば、遊技盤ユニットにおける盤面の表裏に挿通可能な固定具の一端が遊技機本体に保持され、固定具の他端に設けられた頭部を遊技盤ユニットの前面に係止状態とすることで遊技機本体に取り付けられた遊技盤ユニットを固定し、遊技盤ユニットの前面に露呈した固定具の頭部の係止を解除状態とすることによって遊技盤ユニットが遊技機本体から取り外される遊技機において、固定具の頭部を覆う閉じ位置と固定具の頭部を露呈させる開き位置との間で開閉自在に遊技盤ユニットに取り付けられたカバーと、カバーと遊技盤ユニットとのうちどちらか一方に設けられ、一方に収められた収納位置から一方より突き出た突出位置にスライド移動自在なラッチ部材と、一方と異なる他方に設けられ、カバーが閉じ位置にセットされているときに突出位置にスライド移動させたラッチ部材の突き出た部分を受け入れる受入部と、突出位置に移動させた後にラッチ部材を収納位置に戻すスライド移動をすることを禁止する禁止部とを設けたことにより、突出位置に向けて操作されて受入部に受け入れられたラッチ部材は、禁止部によって収納位置に向けたスライド移動が禁止され、これによりラッチ部材はカバーと遊技盤ユニットとに跨り、カバーを開放することができなくなる。このため固定具を操作することができなくなり、遊技盤ユニットを遊技機本体から取り外しにくい遊技機を提供することができる。
【００１３】
また、禁止部は、突出位置にスライド移動したときに受入部に入り込むラッチ部材に設けられる弾性を有する爪部と、受入部に設けられ、爪部を受ける爪受けとからなり、ラッチ部材を収納位置から突出位置に向けてスライド移動させた後に爪部が爪受けと当接し移動を規制することにより、爪部が爪受けに引っかかりラッチ部材がカバーと遊技盤ユニットとに跨った状態がより確実に保持されるため、カバーが開けにくい状態をより確実に保持することができる。
【００１４】
また、ラッチ部材から爪部を分離する破壊部が形成されており、爪部が受入部に受け入れられたとき、破壊部はカバーと受入部との間から外部に露呈することにより、破壊部が破壊されると爪部がラッチ部材から分離されるため、カバーの開放が可能となる。
【００１５】
また、爪部は、破壊部を介在させて数珠繋ぎ状に複数設けられていることにより、カバーの閉鎖及び開放を複数回繰り返すことができ、利便性を高めることができる。
【００１６】
また、複数の爪部はそれぞれ異なる色に着色され、受入部に爪部を視認するための窓を設けたことにより、窓から爪部の色を確認することで残りの爪部の数を把握することができる。
【００１７】
また、カバーに証紙を貼付する貼付部を設けたことにより、貼付部に証紙を貼付することでカバーをさらに有効に利用することができる。
【発明を実施するための最良の形態】
【００１８】
本発明を実施した遊技機であるパチンコ機の外観斜視図を図１に示す。パチンコ機２の前面には、上扉４及び下部開閉体である下扉５からなる２枚の前面扉が遊技機本体３に対して回動自在に設けられている。上扉４は一方の側端部に設けられたヒンジ部８を介して開閉自在に本体基部に取り付けられ、下扉５は一方の側端部に設けられたヒンジ部９を介して開閉自在に遊技機本体３に取り付けられている。上扉４及び下扉５は施錠装置によってロックされる。
【００１９】
遊技機本体３には、各種チャッカ、センター役物などの構造物が設けられた遊技盤１８、センター役物３０などの駆動を制御する制御回路などがユニット化された後述する遊技盤ユニットが着脱自在に取り付けられており、遊技盤ユニットは容易に交換できるようになっている。上扉４の中央には開口４ａが設けられ、この開口４ａにはガラス板７が組み付けられている。ガラス板７と遊技盤１８との間にはパチンコ玉が流下する遊技領域９が形成され、遊技者はガラス板７を通して遊技領域９を視認することができる。
【００２０】
下扉５には、受け皿（図示省略）、発射操作装置１４、パチンコ玉を払い出す払出口等が設けられている。受け皿には遊技を開始する際にパチンコ玉が流入する他、遊技領域９を流下するパチンコ玉が遊技盤１８に設けられた入賞口に入賞することに応じてパチンコ玉が払い出される。発射操作装置１４は、パチンコ玉を遊技領域９に打ち出す際に操作され、発射操作装置に設けられた回動部材の位置に応じてパチンコ玉の打ち出しの強さが変化する。
【００２１】
遊技盤１８上には、釘、スタートチャッカ２３、入賞チャッカ２４、アタッカ２６、センター役物３０等の構造物が設けられている。遊技盤１８上には釘が植設されており、この釘に当たりながらパチンコ玉は遊技領域９を流下する。スタートチャッカ２３には、例えば電動チューリップと呼ばれる開閉式の可動装置が設けられ、これによってパチンコ玉が入賞しやすい状態と入賞しにくい状態とが切り替えられるようになっている。なお、遊技領域９に打ち出されたパチンコ玉が入賞チャッカ２４やアタッカ２６等のいずれにも入賞しない場合はアウト口３３によって回収される。
【００２２】
センター役物３０には４つの保留表示部及び表示画面３５が備えられており、保留表示部は、センター役物３０上に設けられた表示画面３５において図柄が変動表示されている間にスタートチャッカ２３に設けられた始動入賞口にパチンコ玉が入賞するごとに１つ点灯する。この入賞は、電子抽選を行って図柄を変動させる権利として持ち越され、この権利の持ち越しは上限が４つまでと予め定められている。この権利を消化するごとに保留表示部は１つずつ消灯する。
【００２３】
センター役物３０に備えられた表示画面３５は、例えば、横に３つの図柄を並べて表示して電子抽選の結果を告知する。始動入賞口にパチンコ玉が入賞したときに開始される電子抽選に応じて表示画面３５に図柄を変動表示した後に、所定の図柄を停止表示することで遊技者に対して抽選結果が告知される。図柄は、例えば１〜９までの数字であり、図柄が縦に流れる変動表示が行われた後、電子抽選に当選した場合には同じ数字が３つ順次停止表示される。また、表示画面３５に表示される図柄の表示態様には、当たりに対応した図柄が停止表示される前段階で、３つの図柄のうち２つが同じ図柄で停止表示され残る１つが変動表示される、いわゆるリーチ表示が設定されており、これによって遊技者に期待感を持たせている。
【００２４】
スタートチャッカ２３に設けられた始動入賞口（図示省略）にパチンコ玉が入賞すると予め決められた個数のパチンコ玉が払出口１６から払い出されて受け皿１２に流入する。また、始動入賞口にパチンコ玉が入賞すると電子抽選が開始され、乱数の抽出、抽出された乱数が当たりとなる乱数であるか否かの判定が行われ、判定の結果は表示画面３５に表示される。
【００２５】
スタートチャッカ２３の下方には２つの入賞チャッカ２４が設けられている。入賞チャッカ２４には通常入賞口が設けられ、通常入賞口にパチンコ玉が入賞すると、所定の個数のパチンコ玉が払出口１６を介して受け皿１２に払い出されるようになっている。
【００２６】
アタッカ２６には大入賞口及び大入賞口を開閉する可動扉が備えられ、表示画面３５によって当たりが告知されたときに可動扉が開放され、所定期間開放された場合や一定個数のパチンコ玉が入賞した場合に閉じる。大入賞口にパチンコ玉が入賞すると、これに応じて予め決められた個数のパチンコ玉が受け皿１２に払い出される。大入賞口の一時的な開放が一定回数繰り返されると、当たりの告知に伴うアタッカ２６の開放が終了するようになっている。
【００２７】
遊技機本体３には、中枠３６、後述する遊技盤ユニット、上扉４などからなる中枠ユニット３８が着脱自在に取り付けられる。中枠３６はマグネシウム合金によって枠状に形成されており、枠内に遊技盤ユニットが保持されている。
【００２８】
遊技機本体３は、外枠４０、内枠４１、及び中枠３６とから構成され、遊技盤ユニット５０は、内枠４１に組み込まれた中枠３６に対し着脱自在とされる、あるいは中枠ユニット３８として内枠４１に組み込まれて内枠４１から中枠３６とともに着脱自在とされる。外枠４０は遊技場に固定され、内枠４１は外枠４０の内側に嵌め込まれる。内枠４１はプラスチックで形成されており、その内側には中枠ユニット３８を固定するための開口４１ａが形成され、この開口４１ａの周囲にはスピーカ４３などが配置されている。
【００２９】
内枠４１の側端部には上扉４を開放するための専用のキーが差し込まれるキーシリンダ４２が配置され、このキーシリンダ４２は施錠装置に設けられている。内枠４１からは前方に向かって係止爪４５が突出しており、この係止爪４５が中枠３６を介して上扉４に掛かり、上扉４が閉鎖される。
【００３０】
図２に示すように、遊技盤ユニット５０における盤面の側端部には、遊技盤ユニット５０を中枠３６に固定するための固定具が挿通される挿通孔６０が形成されている。挿通孔６０は遊技盤ユニット５０の上部及び下部に形成され、下部の挿通孔６０は保護カバー６５によって覆われるようになっている。中枠３６には挿通孔６０の位置に対応して固定具６７が設けられ、固定具６７の一端は中枠３６によって保持され、他端には回動操作される頭部６７ａが設けられている。固定具６７は軸部６７ｂと軸部６７ｂの端に回動自在に設けられた頭部６７ａとによってＴ字形状をしており、頭部６７ａは盤面と略平行となる平面を備えている。頭部６７ａは挿通孔６０よりも一回り小さく形成され、挿通孔６０を通って前面に突出した頭部６７ａを９０°回動させると、挿通孔６０の周囲面と頭部６７ａが有する平面とが係合する。このように固定具６７の頭部６７ａが挿通孔６０の周囲に係止し、これによって遊技盤ユニット５０が中枠３６に固定される。なお、上記では頭部６７ａが略９０°回動操作されることにより遊技盤ユニットの前面に係止する固定具を例示したが、固定具はこれに限らず、ネジなどでもよい。中枠にネジが螺嵌されるネジ穴を設け、挿通孔を通されたネジがネジ穴に螺嵌されることで遊技盤ユニットを中枠に固定することができる。
【００３１】
保護カバー６５は、固定具６７の頭部６７ａを覆う閉じ位置と固定具６７の頭部６７ａを露呈させる開き位置との間で開閉自在に設けられ、閉じ位置においてロックできるようになっている。保護カバー６５の上方には、後述するラッチ部材を視認するための窓７０が設けられている。
【００３２】
図３に示すように、遊技盤ユニット５０は、遊技盤１８、前面部材５２、裏機構板５３とから構成されている。裏機構板５３には、表示画面３５とそのコントローラ等が収納された収納箱５５と、入賞の検知及び賞球の払い出し等を管理する制御回路装置等が収納された制御基板収納箱５７とが取り付けられている。前面部材５２は、遊技盤１８上に遊技領域９を形成するともに遊技領域９の外側に位置する遊技盤１８を覆っている。前面部材５２にはレール５２ａが形成され、このレール５２ａによって遊技領域９の内外が仕切られている。遊技領域９の外には、保護カバー６５、電飾用の電球やＬＥＤなどが設けられ、保護カバー６５は前面部材５２に図示しないヒンジ部を介して取り付けられている。
【００３３】
保護カバー６５には、閉じ位置でロックするために操作されるラッチ部材７２が備えられている。ラッチ部材７２は交換可能であり、保護カバー６５にはラッチ部材７２を交換するために押さえ部材６８が着脱可能に取り付けられている。この押さえ部材６８は、ラッチ部材７２を交換する際に取り外され、古いラッチ部材７２を新しいラッチ部材７２に交換した後に再び保護カバー６５に組み付けられる。
【００３４】
図４に示すように、保護カバー６５は、平らな上面６５ａと、この上面６５ａに連なる側面６５ｂとを有する。保護カバー６５にはラッチ部材７２が設けられ、ラッチ部材７２は保護カバー６５内に収められた収納位置から、保護カバー６５より突き出た突出位置に移動可能に設けられている。保護カバー６５の側面６５ｂにはラッチ部材７２を突出させるための突出開口６５ｃが形成されている。上面６５ａには、パチンコ機２が検査に合格したことを示す証紙を貼付するための貼付部６９が形成されている。
【００３５】
遊技盤ユニット５０には、保護カバー６５から突出したラッチ部材７２を受け入れる受入部７４が設けられている。受入部７４にはラッチ部材７２が突入する突入開口７４ａが形成され、保護カバー６５が閉じ位置にセットされたとき、突入開口７４ａと突出開口６５ｃとが所定の間隔を隔てて対向するようになっている。受入部７４は、例えば透明なプラスチック板からなる窓７０によって覆われ、これにより、遊技場の管理者は、受入部７４に突入したラッチ部材７２の先端を目視することができる。
【００３６】
ラッチ部材７２はプラスチックなど弾性的に変形可能な材料からなり、ガイド部７２ａ、及び操作部７２ｂ、鏃状に形成された逆止爪（爪部）、くびれ状の破壊部とから構成されている。逆止爪は複数設けられ、第１、第２、第３の逆止爪７２ｃ、７２ｄ、７２ｅが数珠繋ぎ状に形成され、第１の逆止爪７２ｃは青色に、第２の逆止爪７２ｄは黄色に、第３の逆止爪７２ｅは赤色にそれぞれ着色されている。ガイド部７２ａは、保護カバーに形成されたガイドレール７２ｆ上で滑るように支えられ、ガイドレール７２ｆ上に形成された３つの半球形状の小突起７２ｇ〜７２ｉによって分けられた４つの位置で、外部から一定以上の力が加わらない限り、一時的に係止するようになっている。ガイドレール７２ｆの下端から第１の小突起７２ｇまでが第１の位置、第１の小突起７２ｇと第２の小突起７２ｈとの間が第２の位置、第２の小突起７２ｇと第３の小突起７２ｉとの間が第３の位置、第３の小突起７２ｉとガイドレール７２ｆの上端までが第４の位置であり、それぞれの位置にラッチ部材７２のガイド部７２ａがセットされると、これに応答して第１〜第３の逆止爪７２ｃ〜７２ｅが受入部７４に突入する。
【００３７】
受入部７４に設けられた突入開口７４ａの周囲には第１〜第３の逆止爪７２ｃ〜７２ｅを受ける爪受け７４ｂが形成されている。それぞれの逆止爪７２ｃ〜７２ｅは、突入開口７４ａよりも一回り大きく形成されているが、受入部７４に強制的に向けて押されて突入開口７４ａに当接したときに左右に延びる矢端部７２ｐがより細く弾性変形して突入開口７４ａを通り受入部７４内に進入する。受入部７４の内部空間はそれぞれの逆止爪７２ｃ〜７２ｅよりも大ききく、突入開口７４ａに進入する際に細く変形した逆止爪７２ｃ〜７２ｅの左右に延びる矢端部７２ｐは元の大きさに戻る。このため、ラッチ部材７２を受入部７４から引き抜こうとしても、各逆止爪７２ｃ〜７２ｅが爪受け突起７４ｃに係合するために引き抜くことができない。受入部７４の内部空間は突入開口７４ａ以外からは進入不能な密閉空間となっており、一旦受入部に進入した逆止爪７２ｃ〜７２ｅは外部からの接触が不能な封止状態となる。操作部７２ｂは保護カバー６５の表面６５ａから突出しており、遊技場の管理者が操作しやすいようになっている。なお、第１、第２、第３の逆止爪７２ｃ、７２ｄ、７２ｅの色は青、黄。赤に限らず、これ以外の色を着色してもよい。
【００３８】
ガイド部７２ａは、最初第１の位置にセットされている。操作部７２ｂが操作されてガイド部７２ａが第２の位置にセットされると、第１の逆止爪７２ｃが受入部７４に突入する。これによって保護カバー６５の開放が禁止される封止状態となり、保護カバー６５に被覆された固定具６７の頭部６７ａを操作することができなくなる。第１、第２、第３の逆止爪７２ｃ、７２ｄ、７２ｅのそれぞれの間には、マイナスドライバーなどの先端で突くことによって破壊されるようにくびれた第１、第２、第３の破壊部７２ｋ、７２ｌ、７２ｍが形成されており、第１の逆止爪７２ｃが受入部７４に突入したときには、第１の破壊部７２ｋが保護カバー６５と受入部７４との間に形成された空間から露呈する。この後に固定具６７を操作するときには、遊技場の管理者がマイナスドライバーの先端を保護カバー６５と受入部７４との間隙に差し込んで破壊部７２ｋを突くことにより、第１の逆止爪７２ｃがラッチ部材７２から分離され、これによって保護カバー６５を開放することができる。
【００３９】
第１の破壊部７２ｋを破壊した後、操作部７２ｂが操作されてガイド部７２ａが第３の位置にセットされると、第２の逆止爪７２ｄが受入部７４に突入する。このとき、第２の破壊部７２ｌが保護カバー６５と受入部７４との間隙から露呈する。第２の逆止爪７４ｄが受入部７４に突入した後は、露呈した第２の破壊部７２ｌを破壊することで保護カバー６５を開放することが可能となる。同様に、第２の破壊部７２ｌを破壊した後、ガイド部７２ａが第４の位置にセットされると、第３の逆止爪７２ｅが受入部７４に突入し、第３の破壊部７２ｍが保護カバー６５と受入部７４との間隙から露呈する。第３の逆止爪７４ｅが受入部７４に突入した後は、露呈した第３の破壊部７２ｍを破壊することで保護カバー６５を開放することが可能となる。受入部７４に逆止爪がある程度たまったときには、窓７０を取り外して中の逆止爪を取り出すことで逆止爪がスムーズに入るように維持することができる。なお、窓をワンウェイネジで固定し、窓を取り外すときは破壊しなければならないようにすることで防犯性をさらに高めることができる。
【００４０】
本発明の作用について図５を用いて説明する。遊技盤ユニット５０が中枠３６に嵌め込まれ、固定具６７の頭部６７ａが回動されて遊技盤ユニット５０が中枠３６に固定された後、保護カバー６５が閉じ位置にセットされる。保護カバー６５が閉じ位置にセットされると、保護カバー６５の突出開口６５ｃと受入部７４の突入開口７４ａとが対向する。そして、図５（ａ）に示すように、ラッチ部材７２の操作部７２ｂが操作されてガイド部７２ａが第２の位置にセットされると、第１の逆止爪７２ｃが受入部７４に突入する。第１の逆止爪７２ｃが受入部７４に突入すると、保護カバー６５の開閉がラッチ部材７２によって阻害されるために保護カバー６５を開放することができず、これによって固定具６７の頭部６７ａを操作できなくなる。そして、保護カバー６５の上面６５ａに設けられた貼付部６９には証紙が貼付される。
【００４１】
固定具６７の頭部６７ａを操作するときは、マイナスドライバーの先端等を保護カバー６５と受入部７４との間に差し込んでラッチ部材７２の第１の破壊部７２ｋを突いて壊す。これによって保護カバー６５の開放が可能となる。図５（ｂ）に示すように、ラッチ部材７２の操作部７２ｂが上方に操作されてガイド部７２ａが第３の位置にセットされると、第２の逆止爪７２ｄが受入部７４に突入し、保護カバー６５の開放が禁止される。また、同様に、第２の破壊部７２ｌが破壊された後、さらに操作部７２ｂが上方に操作されてガイド部７２ａが第４の位置にセットされると、第３の逆止爪７２ｅが受入部７４に突入し、保護カバー６５の開放が禁止される。
【００４２】
上記のように、ラッチ部材７２には、３つの逆止爪７２ｃ〜７２ｅが設けられているため、１つのラッチ部材７２で保護カバー６５の開放の禁止及びその解除を３回繰り返すことができる。第１〜第３の逆止爪７２ｃ〜７２ｅはそれぞれ青、黄、赤に着色されており、遊技場の管理者は、受入部７４の窓７０から見える逆止爪の色を確認することで逆止爪の残数を把握することができる。
【００４３】
逆止爪の残存がなくなったラッチ部材７２は保護カバー６５から取り外され、新しいラッチ部材７２が取り付けられる。ラッチ部材７２を交換する際には、押さえ部材６８を保護カバー６５から取り外し、逆止爪のなくなったラッチ部材７２を取り外して新しいラッチ部材７２を装着し、押さえ部材６８を保護カバー６５に取り付ける。以上のように、保護カバー６５にラッチ部材７２を設け、遊技盤ユニット５０に受入部７４を設けることにより、保護カバー６５を閉じ位置でロックすることができ、固定具６７の頭部６７ａを操作させないようにすることができる。
【００４４】
なお、上記の実施形態では、ラッチ部材７２には３つの逆止爪７２ｃ〜７２ｅが設けられていたが、逆止爪の数はこれに限らず、１つや４つでもよい。例えば、ラッチ部材に１つの逆止爪を備えたことにより、保護カバーをロックするための構造を簡便にすることができる。
【００４５】
また、上記の実施形態では、鏃状に形成された第１、第２、第３の逆止爪７２ｃ、７２ｄ、７２ｅをラッチ部材７２に設け、この爪によってラッチ部材７２が逆方向にスライドしないようにしたが、ラッチ部材７２の逆方向のスライドを禁止する方法はこれに限らない。例えば、ガイド部が通る案内路内の突起を逆止め構造にしてラッチ部材が戻れないようにしてもよい。図６に示すように、保護カバー９０には、受入部７４側に向かって鋭く突き出た逆止爪９０ｄが設けられている。ラッチ部材８０の操作部８０ｂが受入部７４に向けて押されると、先端部８０ｃが受入部７４に突入するとともにガイド部８０ａが逆止爪９０ｄを通り過ぎる。ガイド部８０ａが逆止爪９０ｄを通り過ぎた後は、逆止爪９０ｄによってラッチ部材８０は戻れなくなるため、保護カバー９０はラッチ部材８０によって開放が禁止される。
【００４６】
また、上記の実施形態では、保護カバー６５にラッチ部材７２を設け、前面部材５２に受入部７４を設けたが、本発明はこれに限らず、全面部材にラッチ部材を設け、保護カバーに受入部を設けてもよい。前面部材にはラッチ部材がスライド移動自在に設けられ、保護カバーには受入部が設けられている。保護カバーが閉じ位置にセットされ、逆止爪が受入部に突入すると保護カバーの開放が禁止される。このように、保護カバーに受入部を設け、前面部材にラッチ部材を設けることによっても、固定具が不正に操作されることを防止することができる。
【００４７】
また、図７に示すように、逆止爪７２ｃ〜７２ｅを取り出すための取出開口１００ｂを、突入開口１００ａと垂直に交差するように設けてもよい。取出開口１００ｂは各逆止爪７２ｃ〜７２ｅの幅Ｈよりも大きく形成されており、このためラッチ部材７２から分離された各逆止爪７２ｃ〜７２ｅを略９０度回転させて取出開口１００ｂからスムーズに取り出すことができる。
【００４８】
また、上記の実施形態では遊技機としてパチンコ機を例示したが、本発明はこれに限らず、遊技媒体としてパチンコ玉を用いるスロットマシンなど他の遊技機に適用してもよい。
【図面の簡単な説明】
【００４９】
【図１】ユニットごとに分解したパチンコ機を前側から観察した外観斜視図である。
【図２】遊技盤ユニットを斜めから観察した外観斜視図である。
【図３】遊技盤ユニットを構成部材ごとに分解した分解斜視図である。
【図４】保護カバー及び受入部を、案内路に沿って保護カバーの表面と垂直な方向に切断した斜視断面図である。
【図５】ラッチ部材によって保護カバーを閉鎖する様子を示した説明図である。
【図６】案内路内に、ラッチ部材が逆方向に移動することを禁止する逆止爪を設けた保護カバーの斜視断面図である。
【図７】逆止爪を受入部から取り出すための取出開口が突入開口と垂直に交わるように形成された受入部の斜視断面図である。
【符号の説明】
【００５０】
２  パチンコ機（遊技機）
３  遊技機本体
４  上扉
５  下扉
９  遊技領域
１８  遊技盤
３６  中枠
５０  遊技盤ユニット
５２  前面部材
５２ａ  レール
６０  挿通孔
６５  保護カバー（カバー）
６７  固定具
６７ａ  頭部
６９  貼付部
７０  窓
７２  ラッチ部材
７２ａ  ガイド部
７２ｂ  操作部
７２ｃ、７２ｄ、７２ｄ  第１〜第３の逆止爪（爪部）
７２ｋ、７２ｌ、７２ｍ  第１〜第３の破壊部
７４  受入部
【図１】
0004485446.tif 000002
【図２】
0004485446.tif 000003
【図３】
0004485446.tif 000004
【図４】
0004485446.tif 000005
【図５】
0004485446.tif 000006
【図６】
0004485446.tif 000007
【図７】
0004485446.tif 000008